(57)【特許請求の範囲】
【請求項１】
画像が形成された用紙を折る機能を設定するためのユーザの操作を受け付ける機能設定手段と、
前記用紙の所定の処理位置に対して処理を行う処理手段と、
前記機能設定手段を介して前記用紙を折る機能が設定されたときに、前記処理位置を折られた用紙を処理するために適した位置に設定する制御手段とを備えた、画像形成装置。
【請求項２】
前記機能設定手段は、前記所定の処理位置をマニュアルにより設定するためのユーザの操作をさらに受け付け、
前記制御手段は、前記機能設定手段を介してマニュアルにより設定された処理位置を、折られた用紙を処理するために適した位置に変更する、請求項１に記載の画像形成装置。
【請求項３】
前記処理手段はステープル手段であり、前記処理手段により実行される処理は、ステープルである、請求項１または２に記載の画像形成装置。
【請求項４】
前記処理手段はパンチ手段であり、前記処理手段により実行される処理は、パンチである、請求項１または２に記載の画像形成装置。
【請求項５】
前記機能設定手段は、第１および第２の折りモードの設定を受け付け可能であり、
前記制御手段は、前記機能設定手段を介して設定された折りモードに応じて前記処理位置を設定する、請求項１に記載の画像形成装置。
【請求項６】
前記機能設定手段は、第１および第２の折りモードの設定を受け付け可能であり、
前記制御手段は、前記機能設定手段を介してマニュアルにより設定された処理位置が、前記機能設定手段を介して設定された折りモードに対して不適切な場合、これを変更する、請求項２に記載の画像形成装置。
【発明の詳細な説明】
【０００１】
【発明の属する技術分野】
この発明は、画像形成装置に関し、特に画像が形成された用紙に対して、紙折り、ステープルその他の後処理を施すことができる画像形成装置に関する。
【０００２】
【従来の技術】
複写機などの画像形成装置であって、用紙に画像を形成した後に、その用紙に紙折り、ステープル、パンチ穴開けなどの処理を行うことができるものが知られている。さらに、綴じ代の位置を設定することができる複写機も知られている。
【０００３】
また、特開平７−１９６２３２号公報には、画像形成開始前に、綴じ代を作成する位置とステープルを行なう位置との間の関係が不良となるか否かを判定してその旨を報知する技術が開示されている。この技術では、報知のみならず判定結果に基づいて画像形成の動作を禁止して、綴じ代を作成する位置にステープルをミスなく行なうことができる。
【０００４】
【発明が解決しようとする課題】
しかしながら、上述の特開平７−１９６２３２号公報に開示された技術では、ユーザは綴じ代を作成する位置とステープルを行なう位置との関係が不良であることを知ることはできるが、具体的にどのような設定をすれば不良でなくなるかがわかりにくかった。このことから、ユーザは何度設定をしなおしても警告が出されて、画像の形成を行なうことができないことがあった。
【０００５】
また、今日の画像形成装置は、多機能であるため機能の組合せ（処理の組合せ）を行なうことが難しいという問題点がある。
【０００６】
この発明は、上記問題点を解決するためになされたものであり、紙折りとその他の処理を組合せて実行するときにも、簡単に設定を行なうことができる画像形成装置を提供することをその目的としている。
【０００７】
【課題を解決するための手段】
上記目的を達成するためにこの発明のある局面に従うと、画像形成装置は、画像が形成された用紙を折る機能を設定するためのユーザの操作を受け付ける機能設定手段と、用紙の所定の処理位置に対して処理を行う処理手段と、機能設定手段を介して用紙を折る機能が設定されたときに、処理位置を折られた用紙を処理するために適した位置に設定する制御手段とを備える。
【０００８】
さらに好ましくは、機能設定手段は、所定の処理位置をマニュアルにより設定するためのユーザの操作をさらに受け付け、制御手段は、機能設定手段を介してマニュアルにより設定された処理位置を、折られた用紙を処理するために適した位置に変更する。
さらに好ましくは、処理手段はステープル手段であり、処理手段により実行される処理は、ステープルである。
さらに好ましくは、処理手段はパンチ手段であり、処理手段により実行される処理は、パンチである。
さらに好ましくは、機能設定手段は、第１および第２の折りモードの設定を受け付け可能であり、制御手段は、機能設定手段を介して設定された折りモードに応じて処理位置を設定する。
さらに好ましくは、機能設定手段は、第１および第２の折りモードの設定を受け付け可能であり、制御手段は、機能設定手段を介してマニュアルにより設定された処理位置が、機能設定手段を介して設定された折りモードに対して不適切な場合、これを変更する。
【０００９】
この発明によると、用紙を折る機能が設定されたときに、処理を行なう位置を折られた用紙を処理するために適した位置に設定するため、紙折りとその他の処理を組合せて実行するときにも、簡単に設定を行なうことができる。
【００１０】
【発明の実施の形態】
以下、図面を参照して本発明の好ましい実施の形態について説明する。
【００１１】
＜複写機の構成＞
図１は、本発明の実施の形態の１つであるフィニッシャ１を取付けた複写機１０の全体構成を説明するための概略断面図であり、図２はその制御系のブロック図である。
【００１２】
図面を参照して、複写機１０は、いわゆるデジタル複写機と称されるものであり、大別すると複写する原稿を読取る走査系８１０と、読取った画像データの処理を行なう画像信号処理部８２０と、読取った画像データを用紙上に出力するためのレーザ光学系８６０と、作像系８７０とによって構成されている。また、この複写機１０の上部には、複写する原稿を搬送し、必要に応じて原稿の表裏を反転させるＡＤＦ（自動原稿搬送装置）８５０が設けられている。複写機１０の上面には、この複写機１０で行なう各種画像編集処理の動作モードや複写枚数などを設定するための操作パネルＯＰが設けられている。
【００１３】
そして、この複写機には、後述するようにバインド部、紙折り部、パンチ部およびステープル部を装備したフィニッシャ１が取付けられている。
【００１４】
図２に示されるように、複写機全体（ＡＤＦおよびフィニッシャを含む）の動作を制御する制御系は、複写機１０の制御を行なう複写機用ＣＰＵ９１０と、ＡＤＦの制御を行なうＡＤＦ用ＣＰＵ９５０と、ファニッシャの制御を行なうフィニッシャ用ＣＰＵ９８０とによって構成される。各ＣＰＵには、それぞれ必要なプログラムを記憶したＲＯＭ９１１，９５１，９８１と、各ＣＰＵが各種処理のために使用するＲＡＭ９１２，９５２，９８２とが設けられている。
【００１５】
また、複写機用ＣＰＵ９１０には、操作パネルＯＰと画像信号処理部８２０とが接続されている。複写機用ＣＰＵ９１０による指示で複写機各部の動作が行なわれる。また、画像信号処理部８２０には、Ａ／Ｄ変換器８２１を介してＣＣＤセンサ８１６が接続されている。また、画像信号処理部８２０には、Ｄ／Ａ変換器８３１を介して作像系のレーザ光源８６２が接続されている。さらに、画像信号処理部８２０には、読取った画像データを記憶しておくための画像メモリ８２５が設けられている。
【００１６】
以下さらにこの複写機１０の各部の機能および動作について詳細に説明する。まず、ＡＤＦ８５０の原稿トレイ８１５上にセットされた原稿は、ＡＤＦ用ＣＰＵ９５０の指示により、１枚ずつ原稿載置台（プラテンガラス）８１８上の所定の位置まで搬送される。原稿は走査系８１０により読取られた後に、ＡＤＦ８５０上の排紙トレイに排出される。原稿は、ＡＤＦの各原稿搬送系ローラ８５１，８５２，８５３，８５４および搬送ベルト８５５が駆動されることにより搬送される。
【００１７】
この原稿の搬送時において、ＡＤＦ８５０内に設置されているセンサＳＥ５１のオン／オフの時間により原稿サイズが１枚ずつ検出される。センサＳＥ５１からの信号は、ＡＤＦ用ＣＰＵ９５０を介して複写機用ＣＰＵ９１０に伝えられる。
【００１８】
走査系８１０では、スキャナ８１９がスキャンモータ（不図示）によって駆動される。スキャナ８１９は、プラテンガラス８１８の下を移動する。スキャナ８１９に取付けられている露光ランプ８１１からプラテンガラス８１８上に載置された原稿に光が照射される。その反射光を光電変換素子であるＣＣＤ８１６が受光して、原稿画像の走査読取が行なわれる。
【００１９】
なお、レーザ光学系８６０は、半導体レーザ８６２、レーザビームを偏光するポリゴンミラー８６５、および反射ミラー８６７によって構成されている。作像系８７０は、現像転写系８７１、用紙を搬送する搬送系８８０および画像の定着を行なう定着系８７３によって構成されている。また、現像転写系８７１は、感光体ドラム８７１ａ、帯電チャージャ８７１ｂ、現像剤を収納し感光体ドラムにトナーを供給する現像器８７１ｃ、感光体ドラム上のトナー像を用紙に転写させる転写チャージャ（不図示）、用紙と感光体ドラムとを分離する分離チャージャ（不図示）、および不要なトナーを除去するクリーニングプレート（不図示）などにより構成されている。
【００２０】
搬送系８８０は、用紙を収納したカセット８８１および８８２、用紙ガイド８８３、タイミングローラ８８４などによって構成されている。また用紙カセット８８１および８８２に収納されている用紙は、予め用紙カセットごとに収めるサイズが決められており、そのカセットごとに用紙サイズが判定される。なお、図面においては用紙カセットは２つ記載されているが、さらに多くの用紙カセットを備えるようにしてもよい。
【００２１】
定着系８７３は、用紙を熱圧着しながら搬送する定着ローラ８７４、排出ローラ８７５および用紙の排出を検出する排出センサ（不図示）によって構成されている。
【００２２】
プリントアウトされた用紙は、排紙部１０ｂから後述するフィニッシャ１に送られる。
【００２３】
＜フィニッシャ１の概略構成＞
図３は、フィニッシャ１の拡大図である。フィニッシャ１は、図１および３に示されるように、大きくは、複写機１０の排紙部１０ｂから排出された用紙Ｐを集積し整合するノンソートトレイ１１ａおよび用紙集積部１１ｂと、排紙部１０ｂから排出された用紙Ｐを必要に応じて２つ折りや、Ｚ字状に折り畳む（以下Ｚ折りという）紙折り部２と、用紙集積部１１ｂから用紙搬送方向下流側に設置され、集積し整合された用紙Ｐに対してステープル処理を施すステープル部３と、このステープル処理後の用紙束が排出されて収容されるソート部４と、ステープル処理された後の用紙束またはステープル処理されていない用紙束に対してカバーを取付けるバインド部５と、用紙搬送経路中に設けられ必要に応じて用紙に穴開けを行なうパンチ部７とから構成される。複写機１０から排出された用紙は用紙搬送部６によりフィニッシャ内の各部に搬送される。
【００２４】
＜ソート部＞
ソート部４は、図１および３に示されるように、ソートトレイ４１と、このトレイ４１を昇降させる駆動機構４２とを有している。このソートトレイ４１には、大量コピー時に用紙Ｐが１枚ずつ搬送路６５を通って送り込まれたり、用紙集積部１１ｂからステープル部３に送られ、ステープル処理された用紙束が搬送路６６を通って送り込まれる。なお、搬送路６５または搬送路６６から搬送された用紙Ｐまたは用紙束は切換爪６６５によってトレイ４１またはバインド部５へガイドされる。
【００２５】
トレイ４１上に収容され積載された用紙ＰがセンサＳＥ２によって検出されるごとに、トレイ４１は駆動機構４２によって一定量ずつ下降される。センサＳＥ３によりトレイ４１が下限にまで下降したしたことが検出されると、このときトレイ４１は満杯であるため以降のコピー動作は中断される。なお、トレイ４１を一定量ずつ下降させる駆動機構４２の構成は周知であり、説明は省略する。
【００２６】
＜紙折り部＞
図４は、紙折り部２の拡大図である。紙折り部２は、図３および図４に示されるように、用紙搬送部６の直下に設けられる。紙折り部２は、画像形成済用紙Ｐを搬送方向中央部で２つ折りにする機能、および用紙ＰをＺ折りにする機能を有している。
【００２７】
紙折り部２の中心的役割を果たすものは、３本の正逆転可能な紙折りローラ２１，２２，２３と、バックアップローラ２４である。用紙Ｐは、これらローラ２１〜２４を中心として複数本の用紙搬送路２５〜２９により授受が行なわれるようになっている。
【００２８】
以下紙折り機能について概説する。
紙折り部２は、複写機本体１０の操作パネルＯＰの操作により選択することができる２つの紙折りモードを備えている。
【００２９】
［Ｚ折りモードについて］
このモードは、Ｚ字状に用紙Ｐを折るモードである。排紙部１０ｂから搬送路６１，６２を通って送られてきた用紙Ｐは、図４に示されるように、スイッチバックローラ対６２１による搬送により、切換部材２５１を通過し、第１搬送路２５の方向に搬送される。ここで停止している紙折りローラ２２とバックアップローラ２４で用紙Ｐを一旦停止させる。そして、紙折りローラ２２が駆動されると、所定の位置にセットされているストッパ２５２に当接するまで用紙Ｐは搬送される。ストッパ２５２に当接すると、用紙Ｐは、紙折りローラ２１，２２の近傍でループを形成することになる。このループが紙折りローラ２１，２２のニップに噛み込まれ、第１の折りが行なわれる。
【００３０】
第１の折りが終了した用紙Ｐは、複写機１０からのＺ折り指示信号で、切換部材２７１の切換動作により、第２の搬送路２７に搬送され、ストッパ２７２に当接するまで搬送される。このストッパ２７２により停止させられた用紙Ｐは、折りローラ２１と２３のニップ近傍でループを形成する。このループが折りローラ２１，２３のニップに噛み込まれ、第２の折りが行なわれる。第２の折りが終了し、Ｚ折りされた用紙Ｐは、第３の搬送路２８に搬送され、さらにスイッチバック搬送路２９に向け搬送される。ここで、スイッチバックローラ対２９１が反転することにより、用紙Ｐは搬送路６３に向けて搬送される。
【００３１】
［２つ折りモードについて］
このモードは、用紙Ｐを中央部で２つ折りするモードである。このモードでは、前述のＺ折りモードの第１の折り動作と第１ストッパ２５２の位置が異なっているだけで、Ｚ折りモード時と同様の過程を経て、第１の折りが行なわれる。
【００３２】
第２の搬送路２７の入口に設けられた切換部材２７１が第２の搬送路２７へ用紙Ｐを導くように回動されていないため、第１の折りが終了した用紙Ｐは折りローラ２１，２３のニップへ向け直接搬送される。つまり、用紙Ｐは紙折りローラ２１，２２を抜けた後、直ちに紙折りローラ２１，２３のニップへ噛み込まれると、そのまま第３の搬送路２８へ搬送される。その後、スイッチバック搬送路２９に搬送され、ここでＺ折り時と同様にスイッチバックローラ対２９１により搬送路６３に向け搬送される。したがって、２つ折りされた用紙の折り目のある側が図中下になり、用紙端部が上になって搬送される。
【００３３】
＜ステープル部＞
図５は、ステープル部３の拡大図である。図３および図５に示されるように、搬送路６４から排出された用紙Ｐは用紙集積部１１ｂにおいて整列処理された後に、用紙束の所定位置にステープルが施される。ステープル部３は、ステープル針を打出す針打ち部３１と、この打出されたステープル針を受けて曲げる針受け部３２とを有している。
【００３４】
用紙集積部１１ｂは、トレイ１２上に排出された用紙Ｐの先端（トレイ１２への排出方向から見れば後端）を先端ストッパ１２ａが受け止めて整合し、側部整合板１３が搬送方向に対して直交する方向に往復移動し、用紙Ｐの横方向を整合する。したがって、袋綴じでは、先端ストッパ１２ａ側に用紙の折り目のある側が来ることになる。そして、第１チャック部１４ａと第２チャック部１４ｂとがそれぞれ用紙Ｐの側部を交互に把持し、用紙Ｐの浮き上がりを防止するとともに第１チャック部１４ａが用紙束を把持して用紙Ｐをステープル部３に向けて送り出すようになっている。
【００３５】
針打ち部３１は、モータＭ１により駆動されるカムリンク機構３１６を介して針切断部材および針曲げ部材３１２を作動し、針受け部３２側に向けて針カートリッジ３１１のステープル針を１本ずつ切断分離し吐出するようになっている。また、針受け部３２は、このステープル針をコ字形状に折曲げ、用紙束を結束する針受け部材３２１を有している。
【００３６】
用紙搬送方向ｈとは直交する方向のステープル針の打込みは、以下のように行なう。針打ち部３１を２本のガイド軸３１３，３１４にスライド自在に装着するとともに、ステッピングモータＭ２によって、用紙搬送方向ｈとは直交する方向に設けられたスパイラル軸３１５の正逆転により移動し得るようにする。また針受け部３２も２本のガイド軸３２２，３２３にスライド自在に装着し、ステッピングモータＭ３によって駆動されるスパイラル軸３２４の正逆転に伴って、用紙搬送方向ｈとは直交する方向に移動させることにより行なう。
【００３７】
また、用紙搬送方向のステープル針の打込み位置は、チャック部１４ａによる用紙の移動により決定する。したがって、この第１のチャック部１４ａの送り出し量により、集積された用紙の先端から後端までのいずれの位置においてもステープル処理を施すことができる。袋綴じの場合には、２つ折りされた用紙の端部（トレイ１２への排出方向から見れば先端）が針打ち部３１の位置に来るまで押出される。そして、ステープル処理された後には、用紙は相互に離間可能とされた搬送ローラ対６６１に挟み込まれ、搬送路６６により搬送される。
【００３８】
＜バインド部＞
バインド部５は、複写後の用紙を束にして市販されているカバーを用いて糊付けするものである。このバインド部５は、図３に示されるように、複数枚の市販のバインド用カバーを収容するカバー収容部５１と、カバー収容部５１から１枚のカバーＣを取出し搬送するカバー搬送部５２と、カバー搬送部５２により搬送されたカバーＣを用紙受入状態に保持する用紙挿入部５３と、排紙部１０ｂより排出され、搬送路６７内を搬送されてきた用紙束をカバーＣ内へ挿入する用紙搬送部５４と、用紙挿入部５３において用紙Ｐが挿入されたカバーＣに加熱処理を行なう加熱部５５と、バインド後のカバーＣをバインド装置外へ排出し、収容する排出部５６とから構成されている。
【００３９】
これにより用紙集積部１１ｂにおいて整合された用紙束がそのまま、またはステープル処理が施された後、搬送路６６および６７を経てバインド部５に送られてバインド処理されるか、もしくは紙折り部により紙折りされた用紙が、搬送路６５を経て１枚ずつバインド５に送られて複数枚にまとめられバインド処理される。
【００４０】
カバー収容部５１のカバーＣを収容するための空間においては、開閉扉５１１、カバー保持部材５１４、収容下ガイド５１２，５１３によりカバーは開いた状態（図３に示す状態）でＶ字形に収容される。
【００４１】
カバー搬送部５２は、収容されたカバーＣの裏表紙面に当接し、カバーＣの先端を搬送するピックアップローラ５２１と、ピックアップローラ５２１をカバーＣに圧接させるローラ圧接部材５２２と、カバーＣを１枚だけ搬送する捌きローラ対５２３と、捌きローラ対５２３の上流に配置された前捌き部材５２４と、捌きローラ対５２３の下流に配置されたカバー検出部５２５と、捌きローラ対５２３の下流に配置されたカバー搬送ローラ対５２６と、カバー収容部５１と用紙挿入部５３とを繋ぐように構成されたカバー搬送ガイド５２７，５２８とを有している。
【００４２】
用紙挿入部５３は、逆三角形状の用紙挿入空間を形成するガイド板５３１，５３２，５３３，５３４と、用紙挿入空間下方に配置されたカバーレジストローラ対５３５と、用紙挿入空間のカバー搬送方向上部に配置された先端ストッパ５３６と、カバーレジストローラ対５３５の上方の用紙挿入空間内に配置された横整合部材５３７とにより構成されている。
【００４３】
カバー搬送部５２により搬送されたカバーＣの先端は、ガイド板５１２に沿って上方へ向かい、先端ストッパ５３６に当接する。さらにカバーＣは、搬送されてカバー背部が下方へ折れ曲がりガイド５３１，５３２間を通過してカバーレジストローラ対５３５により下端が規制される。
【００４４】
カバーレジストローラ対５３５の上方に設けられたカバー検出部５３８によりカバー背部の通過が検出されて一定時間（カバー背部がカバーレジストローラ対５３５上に当接し、かつカバー後端がカバー搬送ローラ対５２６上流にあるとき）後、カバー搬送ローラ対５２６の少なくとも上ローラはカバー搬送路外へ退避する。
【００４５】
カバー搬送ローラ５２６の退避により、カバーＣの表表紙は、その腰によってカバー後端がカバー搬送ガイド５２７の窪み部５２７ａに係合する。これによりカバーＣの後端位置が規制され、背部がカバーレジストローラ対５３５上に載置されたＶ字状で用紙挿入部５３にセットされる。
【００４６】
用紙挿入部５３へのカバーのセット後、横整合部材５３７がカバーの搬送方向に対して直交する方向に移動する。これによりカバー端面を横整合部材５３７と対向して設けられた整合基準板（図示せず）に押圧し、位置が規制される。
【００４７】
用紙搬送部５４は、レジストローラ対５３５の上方まで延ばされた搬送路６７と、用紙束を用紙挿入部５３に搬送する搬送ローラ対５４１と、搬送路６７内の用紙Ｐを検出する検出部５４３とを有する。搬送ローラ対５４１により搬送された用紙束が、用紙挿入部５３内で上方に向かって開放された状態のカバーＣ内へ自重落下するようになっている。この自重落下によって用紙の接着される端部が揃えられる。
【００４８】
加熱部５４は、用紙挿入部５３より搬送されたカバーＣの背部を加熱する加熱板５５１と、加熱板５５１の下部に配置されたヒータ５５２と、ヒータ５５２の下部周囲を囲み、ヒータ５５２の熱を加熱板５５１に集中させるよう形成された反射板５５３と、加熱板５５１、ヒータ５５２、および反射板５５３を一体的に保持するヒータ支持板５５４と、ヒータ支持板５５４に取付けられた遮蔽用の断熱部材５５５と、温度検出部５５６とにより構成されている。
【００４９】
用紙挿入部５３において、カバーＣ内に用紙束が挿入されると、カバー搬送ローラ対５２６がカバーＣの端部を圧接し、その後カバーレジストローラ対５３５の少なくとも一方が用紙挿入空間外へ退避する。そして、カバーレジストローラ対５３５は正転すると同時にカバー搬送ローラ対５２６を回転させ、カバーＣおよび用紙束を用紙挿入部５３の下部の加熱部５５へ送り込む。カバー搬送ローラ対５２６およびカバーレジストローラ対５３５の駆動は停止し、カバー搬送ローラ対５２６は離間すると同時にカバーレジストローラ対５３５によりカバーＣおよび用紙束が圧接される。この動作によりカバーＣ内の用紙束の端部がさらに整えられることになる。
【００５０】
整合動作終了後、カバーレジストローラ対５３５がカバーＣおよび用紙束を圧接した状態で加熱板５５１上においてカバー背部を適正温度にて一定時間加熱することで、カバー背部に固着した接着剤を溶かし、カバーＣと用紙束とを接着する。その後、カバーＣと用紙束とが確実に接着される時間を見計らってカバーレジストローラ対５３５を正転させ、排出する。
【００５１】
排出部５６は、排出ガイド５６１と、閉鎖板５６２と、排出トレイ５６３とから構成され、加熱部５５より搬送されたカバーＣは、傾斜された排出ガイド５６１の表面を自重で滑り落ち、排出トレイ５６３に収容される。
【００５２】
＜操作パネルＯＰ＞
図６は操作パネルＯＰの正面図である。図６を参照して、操作パネルＯＰには液晶タッチパネル９１と、置数や倍率を入力するテンキー９２と、置数を標準値「１」に戻したりするためのクリアキー９３と、複写機１０内における設定値などを標準値に戻すためのパネルリセットキー９４と、コピー動作を中止させるためのストップキー９５と、コピー動作を開始させるためのスタートキー９６と、コピーモードを設定するためのモード設定キー９７と、用紙を選択する用紙選択キー９８とが設けられている。用紙選択キー９８により給紙する用紙のサイズを選択すると、選択された用紙が用紙表示部９８ａに表示される。ここでたとえばＡ４ＹはＡ４サイズの横置きを表わし、Ｂ５ＴはＢ５サイズ縦置きを表わす。横置きは、長手方向と用紙の搬送方向とが交わる方向であり、縦置きは同一方向を言う。液晶タッチパネル９１は、ＪＡＭ発生、サービスマンコール、ペーパーエンプティ発生などの複写機１の各種の状態、露光レベル、倍率、用紙などの複写機１０の動作モード、その他の種々の情報を表示するとともに、動作モードの選択のための入力を行なう。
【００５３】
＜フィニッシャ１の具体的な作用＞
以下にフィニッシャ１の具体的な作用について説明する。
【００５４】
図７は、ＡＤＦ８５０の平面図である。図を参照して、ユーザは複写を行なう原稿を複写を行なう面を上向きにし、矢印方向にセットする。
【００５５】
図８は、ステープル部３によるコーナーステープル処理を説明するための図である。
【００５６】
図面は、ＡＤＦにセットする原稿の方向と、その原稿の複写が行なわれた用紙にステープルが行なわれる位置ＳＰ１，ＳＰ２との関係を示している。
【００５７】
コーナーステープル機能が設定されているときには、複写が行なわれた後の用紙のコーナーがステープルされる。ステープルの位置として、ＳＰ１またはＳＰ２のいずれかが選択される。
【００５８】
図９は２点ステープルを説明するための図である。２点ステープル機能が設定されているときには、複写が行なわれた後の用紙の２点がステープルされる。
【００５９】
ステープルの位置として、ＳＰ３〜ＳＰ５のいずれかが選択される。ＳＰ５の位置で用紙を綴じると、その位置で用紙を折り曲げたときに１冊の本とすることができる。ＳＰ５の位置での２点ステープルを、週刊誌綴じとも言う。
【００６０】
図１０は、パンチ処理を説明するための図である。
パンチ機能が設定されているときには、複写が行なわれた後の用紙にパンチ処理が行なわれる。パンチ処理を行なう位置としてＰＰ１またはＰＰ２のいずれかが選択される。
【００６１】
＜各部の動作について＞
図１１は、複写機用ＣＰＵ９１０のメインルーチンのフローチャートである。
【００６２】
初期設定を行なった後（ステップ＃１１，以下ステップを略す）、内部タイマをスタートさせてルーチンの時間が一定となるよう監視し（＃１２，１６）、操作パネルＯＰなどに対して入力制御処理および表示制御処理を行ない（＃１３，１４）、その他の処理を行なう（＃１５）。なお、割込処理によって他のＣＰＵとの通信が行なわれる。
【００６３】
＃１１の初期設定においては、液晶タッチパネルＯＰに図１４に示される画面が表示される。図１４に示される画面において、機能設定キーＯＰ１および複写枚数ＯＰ２が表示されている。
【００６４】
機能設定キーＯＰ１は、ノンソート、ソート、グループ、コーナーステープル、２点ステープル、パンチ穴、および紙折りのキーを含む。それぞれのキーをユーザは押下することで、機能を設定することができる。設定された機能に対するキーは、反転表示される。
【００６５】
なお、初期設定においては図１４に示されるようにノンソートのみが機能として設定されている。
【００６６】
図１２は、図１１の入力制御（＃１３）のフローチャートである。
＃１０１で、機能設定キーＯＰ１が押下されたかが判定される。ＹＥＳであれば、＃１０２で仕上げモード設定処理（後述）が行なわれる。＃１０３でその他のキー入力処理が行なわれ、リターンする。
【００６７】
図１３は、仕上げモード設定（＃１０２）の処理を示すフローチャートである。
【００６８】
＃２０１で、機能設定キーＯＰ１により、コーナーステープルが設定されたかが判定され、ＹＥＳであれば＃２０２でコーナーステープルの位置の設定画面（図１５）が表示され、ユーザからの入力に基づいて、コーナーステープルを行なう位置を図８のＳＰ１にするか、ＳＰ２にするかが設定される。
【００６９】
設定が行なわれると、液晶タッチパネルには図１６に示される画面が表示される。図１６を参照して、ステープルを行なう位置がＯＰ３に表示される。また位置変更キーＯＰ４が表示される。ステープルの位置などを変更するときには、位置変更キーＯＰ４を押すことにより、再び図１５の画面が表示される。
【００７０】
図１３に戻って、＃２０３で、機能設定キーＯＰ１により２点ステープルが設定されたかが判定され、ＹＥＳであれば、＃２０４で２点ステープルの位置の設定画面（図１７）が表示され、ユーザからの入力に基づいて、２点ステープルを行なう位置を図９のＳＰ３〜ＳＰ５のいずれにするかが設定される。
【００７１】
次に、＃２０５で機能設定キーＯＰ１によりパンチ穴開けが設定されたかが判定され、ＹＥＳであれば、＃２０６でパンチ穴の位置の設定画面（図１８）が表示され、ユーザからの入力に基づいて、パンチ穴を開ける位置を図１０のＰＰ１にするか、ＰＰ２にするかが設定される。
【００７２】
次に、＃２０７で、用紙に折り目をつける機能が設定されているかが判定される。折り目をつける機能等は以下のようなユーザの操作により設定される。
【００７３】
まず、図１４（または図１６）の画面において、機能設定キーＯＰ１の「紙折り」を押下する。すると、図１９に示す紙折り設定画面が表示される。ユーザは、折り目、袋折り、またはＺ折りの中から所望のものを選択し、設定することができる。ここに折り目とは、用紙の中央に折り目をつける機能である。この機能は主に、折り目のついた部分をステープルし、１冊の本とする（週刊誌綴じする）ために用いられる。
【００７４】
袋折りとは、用紙を中央で折る機能である。Ｚ折りとは、用紙を横から見てＺ字状に折る機能である。
【００７５】
図１９の状態から、ユーザが「折り目」を押下したのであれば、図２０に示される折り目設定画面が表示される。ここで、画面右中央部の「ＯＫ」を押下すると、折り目機能が設定される。「取消」を押下すると、折り目機能は設定されない。また、図２０の画面において、ユーザは「２点ステープル」機能のみを設定／解除することができる。
【００７６】
図１９の状態から、ユーザが「袋折り」を押下したのであれば、図２１に示される袋折り設定画面が表示される。「ＯＫ」を押下することにより、袋折り機能が設定される。
【００７７】
図２１の画面において、ユーザは「２点ステープル」機能および／または「パンチ穴」機能を設定／解除することができる。
【００７８】
図１９の状態から、ユーザが「Ｚ折り」を押下したのであれば、図２２に示されるＺ折り設定画面が表示される。「ＯＫ」を押下することにより、Ｚ折り機能が設定される。
【００７９】
図２２の画面において、ユーザはコーナーステープル、２点ステープル、コーナーステープル＋パンチ穴、または２点ステープル＋パンチ穴の機能を設定／解除することができる。
【００８０】
また、図２２の画面においてユーザはＺ折りが行なわれた後の用紙の出来上がりサイズとしてＡ４サイズまたはＢ５サイズのいずれかを選択することができる。
【００８１】
図１３に戻って、＃２０７でＹＥＳであれば、＃２０８で、コーナーステープルが設定されていればそれを解除する。２点ステープルが設定されていれば、ステープルの位置をセンター（図９におけるＳＰ５）にする。パンチ機能が設定されていれば、それを解除する。
【００８２】
これは、用紙を折る機能と用紙の所定の位置に対して処理を行なう機能とがともに設定された場合に、折られた用紙を処理するために適した位置に処理を行なうように設定するものである。
【００８３】
より具体的には図２０を参照して、折り目機能が実行されると、複写後の用紙の中央部に折り目がつけられるため、コーナーステープルやパンチ穴開け機能が実行されても意味がないものである。そのため、＃２０８においてこれらを解除するものである。
【００８４】
また、折り目機能が設定されている場合において、図９のＳＰ３またはＳＰ４の位置に２点ステープルを行なうことは意味のないものである。このため、折り目機能と２点ステープル機能がともに設定されているときにはそのステープルを行なう位置を強制的にセンター（図９におけるＳＰ５）に設定するのである。
【００８５】
たとえば図１６に示される状態において、コーナーステープル機能が設定されているが、この状態から図２０に示される過程を経てユーザが折り目機能を設定したとき（図１３の＃２０７でＹＥＳ）は、コーナーステープル機能は解除され（＃２０８）、図２３に示される画面が表示される。すなわち図２３において、コーナーステープルが設定されていることを示す反転表示は消去され、代わりに紙折り機能が設定されていることを示す表示となる。
【００８６】
＃２０７でＮＯであれば、＃２０９で袋折り機能が設定されているかが判定される。ＹＥＳであれば、＃２１０でコーナーステープル機能を解除し、２点ステープル機能が設定されているときには、その位置を左（図９におけるＳＰ３）に設定する。また、パンチ機能が設定されているときも同様にその位置を左（図１０におけるＰＰ１）に設定する。
【００８７】
これは、図２１に示されるように袋折り機能が設定されているときには２点ステープルやパンチ穴開けを行なう位置は左側のみが意味のあるものであるため、そのような意味のある位置に変更するものである。また、袋折りが設定されているときには、コーナーステープルを施すことは相応しくないため、解除するものである。
【００８８】
＃２０９でＮＯであれば、＃２１１でＺ折り機能が設定されているかが判定され、ＹＥＳであれば、＃２１２でコーナーステープルの位置を左上（図８におけるＳＰ１）に設定する。また、２点ステープルの位置を左（図９におけるＳＰ３）に設定する。パンチ穴の位置を同様に左（図１０におけるＰＰ１）に設定する。
【００８９】
これは、図２２に示されるようにＺ折りが設定されているときには、２点ステープルやパンチの位置としては左が適した位置であり、またコーナーステープルにあっては左上の位置が適したものであるため、これらの適した位置に処理位置を変更するものである。
【００９０】
このように、本実施の形態においては用紙の所定の処理位置に対して処理を行なう機能と用紙を折る機能とが設定されているときに、用紙に対して処理を行なう位置を、好ましい位置に自動的に設定することができるため、ユーザは簡単にミスなく設定を行なうことができる。
【図面の簡単な説明】
【図１】本発明の実施の形態の１つにおける複写機の全体構成を示す図である。
【図２】複写機の制御系を示すブロック図である。
【図３】フィニッシャ１の構成を示す図である。
【図４】紙折り部２の拡大図である。
【図５】ステープル部３の拡大図である。
【図６】操作パネルＯＰの平面図である。
【図７】ＡＤＦ８５０の平面図である。
【図８】コーナーステープルを行なうことができる位置を説明するための図である。
【図９】２点ステープルを行なうことができる位置を説明するための図である。
【図１０】パンチ処理を行なうことができる位置を説明するための図である。
【図１１】複写機のメインルーチンを示すフローチャートである。
【図１２】図１１の入力制御ルーチン（＃１３）を示すフローチャートである。
【図１３】図１２の仕上げモード設定（＃１０２）での処理を示すフローチャートである。
【図１４】初期設定で表示される画面を示す図である。
【図１５】コーナーステープルの位置設定画面を示す図である。
【図１６】コーナーステープルが選択された画面を示す図である。
【図１７】２点ステープルの位置設定画面を示す図である。
【図１８】パンチ機能の位置設定画面を示す図である。
【図１９】紙折りの設定画面を示す図である。
【図２０】折り目設定画面を示す図である。
【図２１】袋折り設定画面を示す図である。
【図２２】Ｚ折り設定画面を示す図である。
【図２３】紙折り機能が設定された状態を示す図である。
【符号の説明】
２  紙折り部
３  ステープル部
４  ソート部
５  バインド部
７  パンチ部
ＳＰ１〜ＳＰ５  ステープル位置
ＰＰ１〜ＰＰ２  パンチ位置
【図１】
0004073515.tif 000002
【図２】
0004073515.tif 000003
【図３】
0004073515.tif 000004
【図４】
0004073515.tif 000005
【図５】
0004073515.tif 000006
【図６】
0004073515.tif 000007
【図７】
0004073515.tif 000008
【図８】
0004073515.tif 000009
【図９】
0004073515.tif 000010
【図１０】
0004073515.tif 000011
【図１１】
0004073515.tif 000012
【図１２】
0004073515.tif 000013
【図１３】
0004073515.tif 000014
【図１４】
0004073515.tif 000015
【図１５】
0004073515.tif 000016
【図１６】
0004073515.tif 000017
【図１７】
0004073515.tif 000018
【図１８】
0004073515.tif 000019
【図１９】
0004073515.tif 000020
【図２０】
0004073515.tif 000021
【図２１】
0004073515.tif 000022
【図２２】
0004073515.tif 000023
【図２３】
0004073515.tif 000024